(57)【要約】【課題】  ユーザが操作する装置から他の装置へ画像を送信して加工させる場合でも、ユーザが容易にその加工後の画像を確認できるようにする。【解決手段】  画像処理装置１０が、文書管理サーバ２０から画像データを格納するアドレスを取得して携帯端末装置３０に提供し、その後、文書管理サーバ２０に処理させる画像データを取得して、文書管理サーバ２０に実行させる処理を特定する処理情報と、上記取得したアドレスと共に文書管理サーバ２０に送信する。文書管理サーバ２０は、画像処理装置１０から送信された画像データに対し、上記処理情報で特定される処理を行って、処理後の画像データを上記アドレスに格納する。携帯端末装置３０は、画像処理装置１０から提供されたアドレスに定期的にアクセスして該アドレスに格納されている処理後の画像データを取得し、ユーザに提示する。【選択図】    図３
2016177562.tif 000002
【特許請求の範囲】
【請求項１】
ユーザが操作する端末装置と、画像処理装置と、情報処理装置とを備える画像処理システムであって、
前記画像処理装置が、
前記情報処理装置から画像データを格納するアドレスを取得して前記端末装置に提供するアドレス提供手段と、
前記アドレスの取得後に、前記情報処理装置に処理させる画像データを取得して、前記情報処理装置に実行させる処理を特定する処理情報と、前記アドレスを特定するアドレス特定情報と共に前記情報処理装置に送信する送信手段とを備え、
前記情報処理装置が、
前記アドレス提供手段からアドレスの取得を求められたことに応じて画像データを格納するためのアドレスを準備して前記画像処理装置に通知するアドレス管理手段と、
前記送信手段から送信された画像データに対し、前記処理情報で特定される処理を行って、処理後の画像データを前記アドレス特定情報で特定されるアドレスに格納する画像処理手段とを備え、
前記端末装置が、
前記アドレス提供手段から提供されたアドレスに定期的にアクセスして該アドレスに格納されているデータを取得し、ユーザに提示する提示手段を備えることを特徴とする画像処理システム。
【請求項２】
ユーザが操作する端末装置と、画像処理装置と、情報処理装置とを備える画像処理システムであって、
前記画像処理装置が、
前記情報処理装置のアドレスを前記端末装置に提供するアドレス提供手段と、
ユーザの操作に従い、前記情報処理装置に処理させる画像データを取得して、前記情報処理装置に実行させる処理を特定する処理情報と、前記操作を行ったユーザを特定するユーザ識別情報と共に前記情報処理装置に送信する送信手段とを備え、
前記情報処理装置が、
前記送信手段から送信された画像データに対し、前記処理情報で特定される処理を行って、処理後の画像データを前記ユーザ識別情報と対応付けて格納する画像処理手段と、
前記端末装置から前記ユーザ識別情報を送信されたことに応じて、該端末装置に対し、該ユーザ識別情報と対応付けて格納されている画像データ又は該画像データにアクセスするための情報を提供する情報提供手段とを備え、
前記端末装置が、
前記アドレス提供手段から提供されたアドレスに前記ユーザ識別情報を送信して、該送信に応じて送信される情報をユーザに提示する提示手段を備えることを特徴とする画像処理システム。
【請求項３】
請求項１又は２に記載の画像処理システムであって、
前記情報処理装置の画像処理手段は、前記処理後の画像データを格納すべき格納先に、該処理の進行状況を示す情報を、処理の進行に応じて格納することを特徴とする画像処理システム。
【請求項４】
請求項１乃至３のいずれか一項に記載の画像処理システムであって、
前記情報処理装置の画像処理手段は、前記処理後の画像データの格納先に、該画像データに対する更なる処理の実行指示を受け付けるためのユーザインタフェースのデータを、前記端末装置からのアクセスに応じて該画像データと共に該端末装置に送信されるように格納することを特徴とする画像処理システム。
【請求項５】
請求項４に記載の画像処理システムであって
前記情報処理装置は、
前記端末装置から前記ユーザインタフェースによりユーザから受け付けた前記更なる処理の実行指示が送信された場合に、前記処理後の画像データに対し、該更なる処理を実行する追加処理手段を備えることを特徴とする画像処理システム。
【請求項６】
請求項４又は５に記載の画像処理システムであって、
前記更なる処理は、前記処理情報により特定される処理の一部であり、
前記情報処理装置の前記画像処理手段は、前記処理情報により特定される処理のうち、前記更なる処理以外の部分を処理を行うことを特徴とする画像処理システム。
【請求項７】
請求項４乃至６のいずれか一項に記載の画像処理システムであって、
前記更なる処理は、特定の配信先への画像データの配信であることを特徴とする画像処理システム。
【請求項８】
請求項４乃至７のいずれか一項に記載の画像処理システムであって、
前記情報処理装置は、
前記処理後の画像データを格納した格納先に、前記更なる処理の進行状況を示す情報を、処理の進行に応じて格納する手段を備えることを特徴とする画像処理システム。
【請求項９】
画像処理装置が、
情報処理装置から画像データを格納するアドレスを取得してユーザが操作する端末装置に提供するアドレス提供手順と、
前記アドレスの取得後に、前記情報処理装置に処理させる画像データを取得して、前記情報処理装置に実行させる処理を特定する処理情報と、前記アドレスを特定するアドレス特定情報と共に前記情報処理装置に送信する送信手順とを実行し、
前記情報処理装置が、
前記アドレス提供手順でアドレスの取得を求められたことに応じて画像データを格納するためのアドレスを準備して前記画像処理装置に通知するアドレス管理手順と、
前記送信手順で送信された画像データに対し、前記処理情報で特定される処理を行って、処理後の画像データを前記アドレス特定情報で特定されるアドレスに格納する画像処理手順とを実行し、
前記端末装置が、
前記アドレス提供手順で提供されたアドレスに定期的にアクセスして該アドレスに格納されているデータを取得し、ユーザに提示する提示手順を実行することを特徴とする画像処理方法。
【請求項１０】
画像処理装置が、
情報処理装置のアドレスをユーザが操作する端末装置に提供するアドレス提供手順と、
ユーザの操作に従い、前記情報処理装置に処理させる画像データを取得して、前記情報処理装置に実行させる処理を特定する処理情報と、前記操作を行ったユーザを特定するユーザ識別情報と共に前記情報処理装置に送信する送信手順とを実行し、
前記情報処理装置が、
前記送信手順で送信された画像データに対し、前記処理情報で特定される処理を行って、処理後の画像データを前記ユーザ識別情報と対応付けて格納する画像処理手順と、
前記端末装置から前記ユーザ識別情報を送信されたことに応じて、該端末装置に対し、該ユーザ識別情報と対応付けて格納されている画像データ又は該画像データにアクセスするための情報を提供する情報提供手順とを実行し、
前記端末装置が、
前記アドレス提供手順で提供されたアドレスに、当該端末装置のユーザを特定するユーザ識別情報を送信して、該送信に応じて送信される情報をユーザに提示する提示手順を実行することを特徴とする画像処理方法。
【請求項１１】
画像処理装置と、情報処理装置とを備える画像処理システムであって、
前記画像処理装置が、
前記情報処理装置から画像データを格納するアドレスを取得してユーザが操作する端末装置に提供するアドレス提供手段と、
前記アドレスの取得後に、前記情報処理装置に処理させる画像データを取得して、前記情報処理装置に実行させる処理を特定する処理情報と、前記アドレスを特定するアドレス特定情報と共に前記情報処理装置に送信する送信手段とを備え、
前記情報処理装置が、
前記アドレス提供手段からアドレスの取得を求められたことに応じて画像データを格納するためのアドレスを準備して前記画像処理装置に通知するアドレス管理手段と、
前記送信手段から送信された画像データに対し、前記処理情報で特定される処理を行って、処理後の画像データを前記アドレス特定情報で特定されるアドレスに格納する画像処理手段とを備えることを特徴とする画像処理システム。
【請求項１２】
画像処理装置と、情報処理装置とを備える画像処理システムであって、
前記画像処理装置が、
前記情報処理装置のアドレスをユーザが操作する端末装置に提供するアドレス提供手段と、
ユーザの操作に従い、前記情報処理装置に処理させる画像データを取得して、前記情報処理装置に実行させる処理を特定する処理情報と、該操作を行ったユーザを特定するユーザ識別情報と共に前記情報処理装置に送信する送信手段とを備え、
前記情報処理装置が、
前記送信手段から送信された画像データに対し、前記処理情報で特定される処理を行って、処理後の画像データを前記ユーザ識別情報と対応付けて格納する画像処理手段と、
前記端末装置から前記ユーザ識別情報を送信されたことに応じて、該端末装置に対し、該ユーザ識別情報と対応付けて格納されている画像データ又は該画像データにアクセスするための情報を提供する情報提供手段とを備えることを特徴とする画像処理システム。
【発明の詳細な説明】
【技術分野】
【０００１】
この発明は、画像処理システム及び画像処理方法に関する。
【背景技術】
【０００２】
従来から、画像読取装置により読み取った画像を、携帯端末装置で確認できるようにする技術が知られている。
引用文献１には、モバイルデバイスから近距離通信によって複合機にプレスキャン実行指示を行い、そのプレスキャンの結果の画像を近距離通信によってモバイルデバイスに送信させて、モバイルデバイスから参照できるようにする技術が記載されている。また、ユーザがその画像を参照した後で、遠距離通信により本スキャンの実行指示を行い、その本スキャンの結果の画像を遠距離通信によってモバイルデバイスに送信させることも記載されている。
【発明の概要】
【発明が解決しようとする課題】
【０００３】
しかしながら、特許文献１に記載の技術では、モバイルデバイスに対し、複合機が読み取った画像そのものを提供することしかできない。
一方で、近年では、ユーザの操作に従って画像読取装置に読み取らせた画像を、別の文書管理サーバに送信させ、その文書管理サーバにおいて種々の画像処理を施した上で、最終的な読み取り結果として保存したりさらに他の装置へ配信したりすることも行われている。
このようにすれば、各画像読取装置に画像処理機能を設けなくても、文書管理サーバにて集中的に処理を行うことができ、効率的なシステム運用が可能となる。
【０００４】
しかしながら、特許文献１に記載の技術では、このような文書管理サーバを利用する場合において、最終的な読み取り結果となる画像を、保存や配信の前に携帯端末装置によりプレビューすることはできなかった。
このような問題は、読み取り以外の方法で取得した画像に対し、他の装置において画像処理させる場合にも、同様に発生し得るものである。
【０００５】
この発明は、このような問題を解決し、ユーザが操作する装置から他の装置へ画像を送信して加工させる場合でも、ユーザが容易にその加工後の画像を確認できるようにすることを目的とする。
【課題を解決するための手段】
【０００６】
この発明の画像処理システムは、上記の目的を達成するため、ユーザが操作する端末装置と、画像処理装置と、情報処理装置とを備える画像処理システムにおいて、上記画像処理装置に、上記情報処理装置から画像データを格納するアドレスを取得して上記端末装置に提供するアドレス提供手段と、上記アドレスの取得後に、上記情報処理装置に処理させる画像データを取得して、上記情報処理装置に実行させる処理を特定する処理情報と、上記アドレスを特定するアドレス特定情報と共に上記情報処理装置に送信する送信手段とを設け、上記情報処理装置に、上記アドレス提供手段からアドレスの取得を求められたことに応じて画像データを格納するためのアドレスを準備して上記画像処理装置に通知するアドレス管理手段と、上記送信手段から送信された画像データに対し、上記処理情報で特定される処理を行って、処理後の画像データを上記アドレス特定情報で特定されるアドレスに格納する画像処理手段とを設け、上記端末装置に、上記アドレス提供手段から提供されたアドレスに定期的にアクセスして該アドレスに格納されているデータを取得し、ユーザに提示する提示手段を設けたものである。
【発明の効果】
【０００７】
上記構成によれば、ユーザが操作する装置から他の装置へ画像を送信して加工させる場合でも、ユーザが容易にその加工後の画像を確認することができる。
【図面の簡単な説明】
【０００８】
【図１】この発明の第１実施形態である画像処理システム及びその画像処理システムに関連する装置の例を示す図である。
【図２】図１に示した文書管理サーバのハードウェア構成を示す図である。
【図３】図１に示した画像処理システムを構成する各装置が備える機能の構成を示す図である。
【図４】プレビュー画面の例を示す図である。
【図５】図３に示した各部の機能による、各装置の動作例を示すシーケンス図である。
【図６】図５の続きの動作を示すシーケンス図である。
【図７】図５の続きの、別の動作例を示すシーケンス図である。
【図８】第２実施形態の画像処理システムを構成する各装置が備える機能の構成を示す、図３と対応する機能ブロック図である。
【図９】図８に示した各部の機能による、各装置の動作例を示すシーケンス図である。
【図１０】図９の続きの動作を示すシーケンス図である。
【図１１】第２実施形態で携帯端末装置がアクセスするアドレスの例を示す図である。
【図１２】ジョブリスト画面の例を示す図である。
【発明を実施するための形態】
【０００９】
以下、この発明の実施形態について、図面を参照しつつ説明する。
〔第１実施形態：図１乃至図７〕
まず、この発明の画像処理システムの第１実施形態について説明する。
図１は、その画像処理システム及びその画像処理システムに関連する装置の例を示す図である。
【００１０】
図１に示すように、この発明の画像処理システムの第１実施形態である画像処理システム１は、画像処理装置１０と、文書管理サーバ２０と、携帯端末装置３０とを、ネットワークＮにより接続して構成したものである。また、ネットワークＮには、画像処理システム１に関連する装置として、配信先装置４０及び管理者用ＰＣ（パーソナルコンピュータ）５０も接続される。
【００１１】
なお、ネットワークＮは、有線無線を問わず、装置間の通信を可能とする任意の方式の通信経路を採用可能である。また、ＬＡＮ（Local  Area  Network）、ＶＰＮ（Virtual  Private  Network）、ＷＡＮ（Wide  Area  Network）など、特定の管理者が管理するものに限らず、インターネットなど、オープンなネットワークでも構わない。また、各装置は常時ネットワークＮに接続されている必要はない。普段はネットワークＮに接続しておらず、以下に説明する動作に必要な通信を行う間だけネットワークＮに接続する構成であってもよい。
また、後述するように、画像処理装置１０から携帯端末装置３０へは、ネットワークＮを介さずに情報を提供することも可能である。
【００１２】
また、画像処理装置１０は、ユーザの操作に従い、原稿の読み取りや記憶手段からの読み出しなどにより、処理対象とする画像データを取得する装置である。また、その処理対象の画像データに対し文書管理サーバ２０に実行させる処理に関する設定をユーザから受け付ける機能も備える。画像処理装置１０は、例えば、コピー、プリント、スキャン、ファクシミリ通信等の機能を備えたＭＦＰ（デジタル複合機）として構成することができる。
【００１３】
文書管理サーバ２０は、画像処理装置１０から送信された画像データに対し、画像処理装置１０が受け付けた設定に従った処理を行うサーバ装置であり、情報処理装置である。この処理は、画像の加工（画質の調整、情報の埋め込み、データ形式の変換等）に関するものであっても、画像データの取り扱い（保存や配信）に関するものであっても、それらの組み合わせであってもよい。
【００１４】
携帯端末装置３０は、ユーザが操作する端末装置であり、画像処理装置１０及び文書管理サーバ２０との間で必要な通信を行い、文書管理サーバ２０における画像データに対する処理の状況や、文書管理サーバ２０による加工後の状態を示すプレビュー画像を、ユーザに対して提示する機能を備える。また、文書管理サーバ２０における処理の中止や続行に関する指示をユーザから受け付け、これを文書管理サーバ２０に伝達する機能も備える。携帯端末装置３０は、例えばスマートフォンやタブレット型コンピュータをはじめ、任意の形態の持ち運び可能なコンピュータとして構成することができる。
【００１５】
配信先装置４０は、文書管理サーバ２０における「配信」の処理による画像データの配信先となる装置である。例えば、メールサーバやストレージサーバ等が配信先装置４０となることが考えられる。
管理者用ＰＣ５０は、画像処理システム１に対する設定を行うための端末装置である。ブラウザを用いた汎用ＰＣとして構成し、設定用のユーザインタフェースが文書管理サーバ２０等からウェブページとして提供される形式でもよい。
【００１６】
管理者用ＰＣ５０から設定する項目としては、どの画像処理装置あるいは文書管理サーバを連携させて画像処理システム１として動作させるか、画像データに対する処理として画像処理装置１０において設定可能な処理の種類、等が考えられる。
なお、画像処理システム１を構成する文書管理サーバ２０や画像処理装置１０の数は１ずつに限らず、任意である。文書管理サーバ２０が複数ある場合、画像処理装置１０は、画像データに対する処理を実行させる文書管理サーバ２０を、ユーザに選択させるか、あるいは処理の種類等に従って自動で選択する。また、携帯端末装置３０の数も、任意である。
【００１７】
次に、図２に、文書管理サーバ２０のハードウェア構成を示す。
図２に示すように、文書管理サーバ２０は、ＣＰＵ２１、ＲＯＭ２２、ＲＡＭ２３、ＨＤＤ（ハードディスクドライブ）２４、通信Ｉ／Ｆ（インタフェース）２５、操作部２６、表示部２７を備え、これらをシステムバス２８により接続した構成としている。
【００１８】
そして、ＣＰＵ２１が、ＲＡＭ２３をワークエリアとしてＲＯＭ２２あるいはＨＤＤ２４に記憶されたプログラムを実行することにより、文書管理サーバ２０全体を制御し、図３を用いて後述するものをはじめとする種々の機能を実現する。
ＲＯＭ２２及びＨＤＤ２４は、不揮発性記憶媒体（記憶手段）であり、ＣＰＵ２１が実行する各種プログラムや後述する各種データを格納している。
通信Ｉ／Ｆ２５は、ネットワークＮを介して画像処理装置１０や携帯端末装置３０等の外部装置と通信するためのインタフェースである。使用する通信経路の規格に応じた物を設ければよい。
【００１９】
操作部２６は、ユーザからの操作を受け付けるための操作手段であり、キーボード及びマウス等のポインティングデバイスにより構成することができる。
表示部２７は、文書管理サーバ２０の動作状態や設定内容、メッセージ等をユーザに提示するための提示手段であり、液晶ディスプレイ等を備える。
【００２０】
なお、操作部２６及び表示部２７は外付けであってもよい。また、文書管理サーバ２０がユーザからの操作を直接受ける必要がない（通信Ｉ／Ｆ２５を介して接続された外部装置により操作を受け付けたり情報の提示を行ったりすればよい）場合には、操作部２６や表示部２７を設けなくてよい。
なお、携帯端末装置３０も、具体的な性能は異なってよいが、図２に示したものと同趣旨のハードウェア構成を有する。画像処理装置１０も、制御部について、同趣旨のハードウェア構成を有する。画像処理装置１０は、これに加えて、画像形成、画像読取等の機能を実現するためのエンジン部を備える。
【００２１】
次に、図３に、画像処理システム１を構成する各装置が備える機能の構成を示す。なお、図３には主に、図１の説明で述べたような、画像処理装置１０から文書管理サーバ２０へ送信して処理させている画像データに対する処理の状況や、文書管理サーバ２０による加工後の状態を示す画像を、携帯端末装置３０からユーザに対して提示する機能に関連する機能を示している。これらの機能は、各装置のＣＰＵが所要のプログラムを実行して所要のハードウェアを制御することにより実現されるものである。
【００２２】
図３に示すように、画像処理装置１０は、配信プログラム１０１、スキャナ部１０２、モバイルアプリ処理部１０３、コード記号表示部１０４、ＮＦＣ（Near  Field  Communication）Ｉ／Ｆ（インタフェース）１０５、リモート通信部１０６、操作パネル１１０の機能を備える。
【００２３】
これらのうち配信プログラム１０１は、ユーザが行った設定に従い、文書管理サーバ２０に処理させる画像データを取得すると共に、その画像データを、実行させる処理を特定する処理情報と共に文書管理サーバ２０に送信して処理させる送信手段の機能を備える。この処理が、画像の加工に関するものであっても、画像データの取り扱いに関するものであっても、それらの組み合わせであってもよいことは、上述の通りである。
【００２４】
また配信プログラム１０１は、文書管理サーバ２０に画像データを処理させる際、モバイルアプリ処理部１０３が文書管理サーバ２０から取得したアドレスも、文書管理サーバ２０に送信する。
なお、画像データの取得は、スキャナ部１０２による原稿の読み取り、画像処理装置１０内部の記憶手段あるいは外部のファイルサーバ等の記憶手段からの読み出し等、任意の方法で取得することができる。
【００２５】
スキャナ部１０２は、所定の読み取り台に載置された原稿の画像を読み取って画像データを取得する画像読取手段の機能を備える。
モバイルアプリ処理部１０３は、ユーザからの指示に従い、文書管理サーバ２０に対し、加工後の画像データを格納するためのアドレスの送信を要求する機能を備える。また、この要求に応じて文書管理サーバ２０から送信されるアドレスを取得し、携帯端末装置３０に提供する提供手段の機能を備える。このアドレスは、例えばＵＲＬ（Uniform  Resource  Locator）として記述することができるが、文書管理サーバ２０におけるデータの格納位置を特定できるものであれば、任意の形式のもので構わない。
【００２６】
また、アドレスの提供は、例えば、アドレスをコード化したＱＲコード（登録商標）等のコード記号を、コード記号表示部１０４に、携帯端末装置３０が読み取り可能なように表示させて行うことができる。あるいは、ＮＦＣＩ／Ｆ１０５に、ＮＦＣを用いて送信させて行うことができる。紙にコード記号を印刷して出力したり、コード記号の文字列を表示したりするなど、他の方法で提示してもよい。
【００２７】
コード記号表示部１０４は、操作パネル１１０のディスプレイにコード記号の画像を表示させる機能を備える。
ＮＦＣＩ／Ｆ１０５は、画像処理装置１０の近傍に位置する装置とＮＦＣにより通信する機能を備える。なお、このＮＦＣＩ／Ｆ１０５が携帯端末装置３０を検出したことをもってユーザからのアドレス取得の指示として取り扱うこともできる。
リモート通信部１０６は、ネットワークＮを介して外部装置と通信する機能を備える。
【００２８】
操作パネル１１０は、画像処理装置１０の操作パネルを制御する機能を備え、特に操作部１１１と表示制御部１１２の機能を備える。
操作部１１１は、操作パネル１１０に設けたボタン等の操作子や、ディスプレイに表示したＧＵＩ（グラフィカルユーザインタフェース）に対する操作を受け付ける機能を備える。操作部１１１は、この機能により、文書管理サーバ２０に実行させる処理の内容や、その処理対象とする画像データの取得方法の設定を受け付けることができる。また、アドレスの取得指示も受け付けることができる。
表示制御部１１２は、操作パネル１１０に設けたディスプレイにおける画面の表示を制御する機能を備える。
【００２９】
次に、文書管理サーバ２０は、処理フロー設定部２０１、記憶装置２０２、リモート通信部２０６、および処理フロー実行部２１０を備える。
処理フロー設定部２０１は、画像データに対して文書管理サーバ２０が実行可能な処理の選択肢を保持し、画像処理装置１０に提供する機能を備える。この処理は、複数の工程からなる処理フローとして記述することができる。例えば、画像の加工を行った後、加工後の画像を特定の配信先に配信する、等である。
【００３０】
この選択肢は、画像処理システム１の管理者が管理者用ＰＣ５０から文書管理サーバ２０へアクセスして登録することができる。また、画像処理装置１０の配信プログラム１０１は、ユーザから文書管理サーバ２０に実行させる処理の設定を受け付ける際、その選択肢を、処理フロー設定部２０１から取得してユーザに提示する。
【００３１】
記憶装置２０２は、処理フロー実行部２１０による加工処理後の画像データや、その画像データを携帯端末装置３０のユーザに提示するための画面の画面データを、画像格納部２１３からの指示に従ってアドレス毎に格納して記憶する機能を備える。
リモート通信部２０６は、ネットワークＮを介して外部装置と通信する機能を備える。この機能には、文書管理サーバ２０の特定のアドレスに対するアクセスに応じて、そのアドレスに格納されている画像データ等のデータを、アクセス元へ送信する機能を含む。
【００３２】
処理フロー実行部２１０は、画像処理装置１０から送信された画像データに対し、画像データと共に送信された処理情報に従った処理を実行すると共に、その処理に従った加工後の画像データを、携帯端末装置３０に提供可能な状態とする機能を備える。より具体的には、中間処理部２１１、アドレス管理部２１２、画像格納部２１３、配信処理部２１４を備える。
【００３３】
中間処理部２１１は、上記処理情報が示す処理のうち、画像の加工に関する処理を行う機能を備える。この処理は、画像データの取得（入力）と、配信や保存（出力）との間の処理、という意味で、中間処理と呼ぶことにする。中間処理は、処理情報が示す処理のうち、配信や保存などの画像データの取り扱いに関する処理以外の部分であると考えることもできる。
【００３４】
アドレス管理部２１２は、画像処理装置１０からの要求に応じて、中間処理後の画像データ及びその画像データを含む画面の画面データを格納するためのアドレスを準備し、画像処理装置１０に送信するアドレス管理手段の機能を備える。この準備は、新規にアドレスを生成して行っても、もともと用意されたアドレスを割り当てて行ってもよい。また、アドレス管理部２１２は、画像処理装置１０から処理対象の画像データと共に送信されたアドレス情報を保持し、中間処理後の画像データの格納先として画像格納部２１３に提供する機能も備える。
【００３５】
画像格納部２１３は、中間処理部２１１による中間処理後の画像データを、アドレス管理部２１２から提供されるアドレスに格納する機能を備える。また、その画像データを含む、図４に示すようなプレビュー画面の画面データを格納してもよい。ここでは後者であるとする。中間処理部２１１と画像格納部２１３とで、画像処理手段の機能を実現する。
配信処理部２１４は、記憶装置２０２に格納された中間処理後の画像データに対する、ユーザからの処理続行指示に応じて、上記処理情報が示す更なる処理（配信や保存などの画像データの取り扱いに関する処理）を実行する追加処理手段の機能を備える。
【００３６】
次に、携帯端末装置３０は、コード記号読取部３０４、ＮＦＣＩ／Ｆ３０５、リモート通信部３０６、アプリケーション３１０の機能を備える。
コード記号読取部３０４は、画像処理装置１０のコード記号表示部１０４が表示したコード記号を読み取ってデコードする機能を備える。このデコードにより、画像処理装置１０から提供される、文書管理サーバ２０から中間処理後の画像データを取得するためにアクセスすべきアドレスが取得できる。
【００３７】
ＮＦＣＩ／Ｆ３０５は、携帯端末装置３０の近傍に位置する装置とＮＦＣにより通信する機能を備える。画像処理装置１０のＮＦＣＩ／Ｆ１０５との間で相互に通信を行うことができる。
リモート通信部３０６は、ネットワークＮを介して外部装置と通信する機能を備える。
【００３８】
アプリケーション３１０は、画像処理装置１０から文書管理サーバ２０へ送信して処理させている画像データに対する処理の状況や、文書管理サーバ２０による加工後の状態を示すプレビュー画像を、文書管理サーバ２０から取得してユーザに提示する機能を備える。より具体的には、画面取得部３１１、表示部３１２及び操作受付部３１３を備える。
画面取得部３１１は、コード記号読取部３０４あるいはＮＦＣＩ／Ｆ３０５が画像処理装置１０から取得した、加工後の画像データを格納するためのアドレスに対して定期的にアクセスし、そのアドレスに格納されている画像データあるいは画面データを取得する機能を備える。
【００３９】
表示部３１２は、画面取得部３１１が取得した画像データに基づく画像あるいは画面データに基づく画面をディスプレイに表示する機能を備える。この画像データは、文書管理サーバ２０における中間処理後の画像データであり、ユーザは表示部３１２による表示を見て、その画像の内容を確認することができる。画面データは、図４に示すような、中間処理後の画像を表示すると共に、処理の進行状況を表示したり、処理の続行可否指示を受け付けたりする表示要素を含む画面のデータである。これらの画面取得部３１１及び表示部３１２が提示手段として機能する。
【００４０】
操作受付部３１３は、表示部３１２が画面を表示した場合に、その画面に対する操作を受け付け、その操作内容に応じた指示を文書管理サーバ２０に送信する機能を備える。操作受付部３１３が送信する指示としては、中間処理後の画像データに対する配信処理部２１４による処理を行う指示と、その処理を中止して画像データを廃棄する指示とが考えられる。
【００４１】
ここで、図４に示したプレビュー画面について説明する。
図４に示すプレビュー画面３２０は、携帯端末装置３０が備えるディスプレイ３０１に表示させる画面であり、配信先表示部３２１、処理状況表示部３２２、サムネイル表示部３２３、キャンセルボタン３２４及び配信ボタン３２５を備える。
これらのうち配信先表示部３２１は、文書管理サーバ２０の配信処理部２１４が実行する処理により画像データが配信や保存される先を表示する領域である。図４の例では、クラウドストレージのＵＲＬが記載されているが、メールサーバのアドレスや、ローカルストレージのパスが記載されることもあり得る。
【００４２】
処理状況表示部３２２は、中間処理部２１１及び配信処理部２１４による処理の進行状況を表示する領域である。画像格納部２１３は、これらの処理の進行に応じて、随時処理状況表示部３２２のデータを更新する。画面取得部３１１が、定期的に画面データのアドレスにアクセスして最新の画面データを取得し、その画面データに基づき画面を表示することにより、処理状況表示部３２２の表示も随時更新される。
【００４３】
サムネイル表示部３２３は、中間処理部２１１による処理後の画像データに基づき、サムネイル画像３２３ａを表示する領域である。画像格納部２１３は、中間処理が完了したページの画像データから順に画面データに追加する。従って、画面には、処理の進行に応じて各ページのサムネイル画像が追加され、ユーザはサムネイル画像の数によっても、処理の進捗状況を把握することができる。また、ユーザは、このサムネイルによって、中間処理結果の画像の状態を、配信等する前にプレビューすることができる。タップ等の操作により拡大した画像を表示できるようにしてもよい。
【００４４】
キャンセルボタン３２４は、中間処理部２１１による処理を中止して画像データを廃棄する指示を受け付けるためのユーザインタフェースである。
配信ボタン３２５は、中間処理部２１１による処理後の画像データに対し更に配信処理部２１４による処理を実行する指示を受け付けるためのユーザインタフェースである。
これらのボタンは、中間処理の進行中にも操作することができる。
【００４５】
次に、図５乃至図７に、図３に示した各部の機能による、各装置の動作例を示す。この動作例は、この発明の画像処理方法の実施形態でもある。
図５の動作は、ユーザが携帯端末装置３０に対し、図３のアプリケーション３１０の起動指示を行うと（Ｓ１０１）、開始される。携帯端末装置３０は、この指示に応じてアプリケーション３１０を起動する。
【００４６】
次に、ユーザは、画像処理装置１０に対し、プレビュー画面３２０の画面データを取得するためのアドレスを提供するよう指示する（Ｓ１０３）。画像処理装置１０は、この指示に応じて、文書管理サーバ２０に対し、アドレスの発行を要求する（Ｓ１０４）。
文書管理サーバ２０は、この要求を受けると、アドレス管理部２１２について上述したように画面データを確認するためのアドレスを準備し、（Ｓ１０５）、画像処理装置１０に通知する（Ｓ１０６）。ステップＳ１０５及びＳ１０６が、アドレス管理手順の動作である。
【００４７】
画像処理装置１０は、その通知されたアドレスを携帯端末装置３０へ提供する動作の一例として、そのアドレスを示すコード記号の画像を表示する（Ｓ１０７）。ステップＳ１０４及びステップＳ１０７が、アドレス提供手順の動作である。なお、提供方法がコード記号の表示に限られないことはもちろんである。
【００４８】
ユーザは、携帯端末装置３０をそのコード記号にかざして読み取りを指示し（Ｓ１０８）、携帯端末装置３０はその指示に応じてコード記号を読み取り、デコードしてアドレスを取得する（Ｓ１０９）。次に、携帯端末装置３０はそのアドレスにアクセスする（Ｓ１１０）。ここではこのアドレスは文書管理サーバ２０内の格納位置を示すアドレスであるとし、そのアクセスを受けた文書管理サーバ２０は、ステップＳ１０５で生成したアドレスを有効化する（Ｓ１１１）。準備してから所定時間以内に有効化されないアドレスは削除してしまうとよい。使われないアドレスが大量に蓄積しないようにするためである。
【００４９】
また、ユーザは、ステップＳ１０９での読み取り成功を確認した後、画像処理装置１０に対し、文書管理サーバ２０に実行させるべき中間処理及び配信処理の設定を入力する（Ｓ１１２）。画像処理装置１０はその設定を記憶する（Ｓ１１３）。
また、この例では、文書管理サーバ２０に処理させる画像データは、原稿の読み取りで得た画像データとする。この場合、ユーザは、画像処理装置１０に原稿をセットして読取開始指示を行う（Ｓ１１４）。画像処理装置１０は、その指示を受けると原稿の画像を読み取り（Ｓ１１５）、読み取りで得た画像データと、ステップＳ１１３で記憶した処理の設定と、ステップＳ１０６で取得したアドレスとを、文書管理サーバ２０に送信する（Ｓ１１６）。このステップＳ１１６が、送信手順の動作である。
【００５０】
これらを受信した文書管理サーバ２０は、処理の進捗を示すべく、中間処理実行中の旨を示すプレビュー画面３２０のデータを、ステップＳ１１６で受信したアドレスに格納する（Ｓ１１７）と共に、受信した画像データに対し、受信した設定に従った中間処理を実行する（Ｓ１１８）。これが完了すると、文書管理サーバ２０は、処理後の画像データを含むプレビュー画面３２０のデータを、ステップＳ１１６で受信したアドレスに格納する（Ｓ１１９）。なお、処理の進捗に応じて随時、処理が完了した部分の画像データをプレビュー画面３２０に追加していってよいことは、上述の通りである。ステップＳ１１８及びＳ１１９が、画像処理手順の動作である。
【００５１】
動作は次に図６に示す部分に進む。
携帯端末装置３０は、ステップＳ１１０のアクセスでアドレスを有効化した後、そのアドレスへ定期的にアクセスし（Ｓ１２０）、文書管理サーバ２０からそのアクセスに応じて送信されるプレビュー画面の画面データを取得する（Ｓ１２１）。そして、その画面データに基づきユーザに対しプレビュー画面を表示する（Ｓ１２２）。これらのステップＳ１２０乃至Ｓ１２２が、提示手順の動作である。
【００５２】
図６ではステップＳ１２０は、図５のステップＳ１１９の後に示しているが、携帯端末装置３０は、ステップＳ１１５の原稿読み取りや、ステップＳ１１８の中間処理の実行中にも随時文書管理サーバ２０にアクセスし、プレビュー画面３２０の画面データを取得することができる。原稿読み取りの実行中には、プレビュー画面３２０には、まだ処理対象の画像データを受け取っていない旨が表示される。中間処理の実行中には、実行中である旨と、処理を完了した部分のサムネイル画像とが表示される。
【００５３】
ユーザは、随時更新されるプレビュー画面３２０（図４参照）において、任意の時点で、配信ボタン３２５による配信ＯＫの指示又はキャンセルボタン３２４による配信キャンセルの指示を行うことができる。図６には配信ＯＫの指示（Ｓ１２３）をした場合の動作を示している。
【００５４】
携帯端末装置３０は、この指示を受けると、文書管理サーバ２０に対し、配信ＯＫの指示を伝える（Ｓ１２４）。配信ボタン３２５に対応付けて、この指示伝達のためのコマンドやアクセス先の情報を画面データに埋め込んでおき、携帯端末装置３０がそれらの情報に従って指示を伝達できるようにするとよい。なお、この指示を中間処理の実行中でも行えることは上述の通りである。
【００５５】
配信ＯＫの指示を受けた文書管理サーバ２０は、中間処理が実行中の場合には完了まで待ってから、処理後の画像データに対し、配信処理部２１４による処理を実行する。ここでは、この処理は画像データを配信先装置４０へ配信する処理であるとする（Ｓ１２５）。そして、配信先装置４０から画像データの読み取りが完了した（配信が完了した）旨の通知を受けると（Ｓ１２６）、文書管理サーバ２０は、その旨の情報をプレビュー画面３２０に追加する（Ｓ１２７）。
【００５６】
携帯端末装置３０は、ステップＳ１２０に示した定期的なアクセスにより、ステップＳ１２７での更新後の画面データを取得してその画面を表示することができる。
また、図７には、ユーザがプレビュー画面３２０において図６には配信キャンセルの指示（Ｓ１３１）をした場合の動作を示している。
携帯端末装置３０は、この指示を受けると、文書管理サーバ２０に対し、配信キャンセルの指示を伝える（Ｓ１３２）。キャンセルボタン３２４に対応付けて、この指示伝達のためのコマンドやアクセス先の情報を画面データに埋め込んでおき、携帯端末装置３０がそれらの情報に従って指示を伝達できるようにするとよい。なお、この指示を中間処理の実行中でも行えることは上述の通りである。
【００５７】
配信キャンセルの指示を受けた文書管理サーバ２０は、中間処理が実行中であればそれを中止し、格納済みの中間処理後のデータを削除する（Ｓ１３３）。
その後、ユーザは再度ステップＳ１１２以降と同様な操作により、設定を変更する等して次の処理を画像処理装置１０に指示することができる。この場合において、ステップＳ１０９で取得したアドレスは、タイムアウト等で無効化されない限りは、再使用可能である。
【００５８】
以上の動作により、ユーザは、自身が操作する画像処理装置１０からこれと異なる文書管理サーバ２０へ画像を送信して加工させる場合でも、その加工後の画像を容易に確認することができる。このことにより、例えば、配信先へ配信する画像を、読み取り時点ではなく、配信直前の状態で確認することができる。また、この確認を可能とするために、各装置は特に負荷の大きい処理を実行する必要はない。
【００５９】
なお、図６のステップＳ１２０での定期アクセスに代えて、ユーザの更新指示があった場合に文書管理サーバ２０にアクセスするようにすることも考えられる。この方が、文書管理サーバ２０の処理負荷は軽減できると考えられる。
また、ステップＳ１１６で画像処理装置１０から文書管理サーバ２０へ伝えるアドレスは、アドレスそのものでなく、アドレスを特定可能な情報（アドレス特定情報）であればよい。例えば、ステップＳ１０４の時点で文書管理サーバ２０にジョブＩＤを送信しておき、文書管理サーバ２０側でジョブＩＤとアドレスとを対応付けて管理しているのであれば、ステップＳ１１６で送信するのはジョブＩＤのみでよい。
文書管理サーバ２０が、画像処理装置１０から携帯端末装置３０へ提供したものと同じアドレスに中間処理後の画像データを格納できるようにすれば、途中の処理においてそのアドレスがどのように表現されていても問題ない。
【００６０】
〔第２実施形態：図８乃至図１２〕
次に、この発明の画像処理システムの第２実施形態について説明する。
この第２実施形態は、文書管理サーバ２０がユーザ識別情報に基づき中間処理後の画像データを管理する点と、画像処理装置１０から携帯端末装置３０へ、画像データの格納先となる具体的なアドレスを伝える必要がない点が第１実施形態と異なる。これ以外の点では上述した第１実施形態と共通であるので、この相違点に関連する事項についてのみ説明する。また、第１実施形態と共通の又は対応する構成については、第１実施形態で用いたものと同じ符号を用いる。
【００６１】
図８は、第２実施形態における画像処理システム１を構成する各装置が備える機能の構成を示す、図３と対応する機能ブロック図である。
図８に示すように、第２実施形態の構成は、文書管理サーバ２０の処理フロー実行部２１０に、ジョブ管理部２１５を追加した点が図３の構成と異なる。
このジョブ管理部２１５は、画像処理装置１０から画像データを送信され処理を要求された場合に、その要求を行ったユーザの識別情報であるユーザＩＤと、その処理の識別情報であるジョブＩＤとを画像処理装置１０から取得する機能を備える。また、そのユーザＩＤとジョブＩＤとに基づき、ユーザ毎に実行中の処理（ジョブ）のリストを作成する機能を備える。このリストには、各処理の実行状況及び中間処理後の画像データを参照するための、第１実施形態の場合と同様なプレビュー画面３２０の画面データの格納位置を示すデータ（例えば画面データのアドレスへのリンク情報）が含まれる。
【００６２】
また、アドレス管理部２１２は、画像処理装置１０から画像データを送信され処理を要求された場合に、その要求に従った中間処理後の画像データを格納するためのアドレスを用意する。また、このアドレスを、ジョブＩＤと対応付けて管理する。
その他の部分についても、第１実施形態の機能からの変更はあるが、この点については以下のシーケンス図を用いて説明する。
【００６３】
図９及び図１０に、図８に示した各部の機能による、各装置の動作例を示す。図９及び図１０において、図５乃至図７と同じステップ番号を用いている箇所は、図５乃至図７と同じ動作を示す。それ以外の箇所（「Ｓ」の後ろがアルファベットになっている箇所）は、第１実施形態の動作から変更されている箇所である。
図９の動作も、図５と同様、ユーザが携帯端末装置３０に対し、アプリケーション３１０の起動指示を行うと（Ｓ１０１）、開始される。携帯端末装置３０は、この指示に応じてアプリケーション３１０を起動する。
【００６４】
次に、ユーザは、画像処理装置１０に対し、プレビュー画面３２０の画面データを取得するためのアドレスを提供するよう指示する（Ｓ１０３）。画像処理装置１０は、この指示に応じて、文書管理サーバ２０のアドレスを示すコード記号を表示して（ＳＡ）、そのアドレスを携帯端末装置３０に提供する。このアドレスは、個別のジョブと対応したアドレスではなく、文書管理サーバ２０にアクセスしてユーザ毎のジョブリストや、プレビュー画面の３２０を参照する機能を利用するために用いるアドレスであり、ユーザやジョブによらず一律でよい。従って一度携帯端末装置３０に記憶させれば、以後はステップＳＡ乃至Ｓ１０９の動作は省略してよい。
【００６５】
また、ユーザは、画像処理装置１０に対し、まずユーザＩＤやパスワード等の認証情報を用いてログインしてから（ＳＢ）、文書管理サーバ２０に実行させるべき中間処理及び配信処理の設定を入力する（Ｓ１１２）。その後、原稿読取開始指示を行うと（Ｓ１１４）、画像処理装置１０は、文書管理サーバに対し、読み取りで得た画像データと、ステップＳ１１３で記憶した処理の設定とを送信する。これに加えて、指示を行ったログイン中のユーザのユーザＩＤと、画像処理装置１０が今回の処理に割り当てるジョブＩＤとを送信する点が（ＳＣ）、第１実施形態と異なる。
【００６６】
これらを受信した文書管理サーバ２０は、受信したジョブＩＤに基づき中間処理後の画像データやプレビュー画面のデータを格納する位置を示す格納先アドレスを生成する（ＳＤ）。ジョブＩＤとアドレスの対応関係を管理できれば、アドレスにジョブＩＤの文字列が含まれているといった関係性は必要ない。
【００６７】
また、文書管理サーバ２０は、受信したユーザＩＤと対応するジョブリストに、今回指示されたジョブの情報（処理対象の画像データのファイル名や、ステップＳＤで生成した格納先アドレスなど）を追加する（ＳＥ）。ジョブリストがない場合には、新たに作成する。
次に、文書管理サーバ２０は、図５のステップＳ１１７乃至Ｓ１１９と同様に、中間処理と、プレビュー画面のデータの格納を行う（ＳＦ〜ＳＧ）。ただし、格納先はステップＳＤで生成した格納先アドレスである。
【００６８】
動作は次に図１０に示す部分に進む。
携帯端末装置３０は、ユーザの指示（ＳＨ）に応じて、ステップＳ１０９で取得した文書管理サーバ２０のアドレスへアクセスする（ＳＩ）。このとき、携帯端末装置３０のユーザ（ステップＳＢでログインしたユーザと同じと想定）のユーザＩＤを文書管理サーバ２０に渡す。ユーザＩＤは、変数の値として渡してもよいし、図１１に示すように、アドレスの一部として記述してもよい。もちろん、文書管理サーバ２０が復号化可能な形で暗号化されていてもよい。
文書管理サーバ２０は、このアクセスを受けると、ステップＳＥで生成した、ユーザＩＤと対応するジョブリストの画面データを携帯端末装置３０に返し（ＳＪ）、携帯端末装置３０はその画面データに基づきジョブリストを表示する（ＳＫ）。ステップＳＪの動作は、情報提供手順の動作である。
【００６９】
図１２に、ジョブリストの画面例を示す。
図１２に示すジョブリスト画面３３０は、リスト表示部３３１と、閉じるボタン３３２と、全配信ボタン３３３を備える。
このうちリスト表示部３３１は、該当のユーザの指示に従い処理を実行中の画像データのリストを表示する領域である。図１２の例では、３つの画像データにつき、その文書名を、その画像データの処理状況を表示するプレビュー画面へのリンクを付して表示されている。このリンクには、プレビュー画面へアクセスするためのアドレスの情報が含まれる。ユーザは、いずれかの文書名をタッチすることにより、携帯端末装置３０に文書管理サーバ２０へアクセスさせ、図４に示したようなプレビュー画面の画面データを取得してプレビュー画面を表示させることができる。
【００７０】
閉じるボタン３３２は、何もせずにジョブリスト画面３３０を閉じる指示を受け付けるためのユーザインタフェースである。
全配信ボタン３３３は、表示されている全ての画像データについて配信処理部２１４による処理を実行する指示を受け付けるためのユーザインタフェースである。
【００７１】
図１０の動作では、ユーザによるいずれかの文書名へのタッチ操作に応じてプレビュー画面の表示へ移行する（Ｓ１２２）。携帯端末装置３０がプレビュー画面のアドレスへのアクセスを繰り返すことにより随時表示の更新が可能であることは、第１実施形態の場合と同様である。また、ユーザがその画面で配信ＯＫを指示したことに応じて、文書管理サーバ２０が配信を実行する（Ｓ１２１〜Ｓ１２５）。その後、文書管理サーバは、配信完了したジョブの情報をジョブリストから削除して、図１０の動作を終了する。
【００７２】
以上のような第２実施形態の構成によっても、第１実施形態の場合と同様な、ユーザが加工後の画像を容易に確認することができる、という効果が得られる。また、処理を指示する度に携帯端末装置３０にアドレスを渡す必要がなく、ユーザは、自身の指示した処理をリスト形式で参照できるため、並行して複数の処理を文書管理サーバ２０に実行させる場合でも、各処理に関する画像を容易に確認することができる。
【００７３】
以上で実施形態の説明を終了するが、この発明において、装置の具体的な構成、具体的な処理の手順、画面の表示内容等は、実施形態で説明したものに限るものではない。
例えば、上述した実施形態では、プレビュー画面の画面データを文書管理サーバ２０から携帯端末装置３０へ渡すようにした。しかし、文書管理サーバ２０から携帯端末装置３０へは、中間処理後の画像データのみ渡し、単にその画像を携帯端末装置３０に表示させるようにしたり、携帯端末装置３０側で用意される画面にはめ込んで表示させたりしても、画像の確認は可能である。
【００７４】
また、画像処理装置１０や文書管理サーバ２０の機能を、複数の装置に分散して設け、それらの装置を協働させて画像処理装置１０や文書管理サーバ２０と同様な機能を備える装置として機能させることも妨げられない。また、画像処理装置１０と、文書管理サーバ２０と、携帯端末装置３０との間での機能の分担は、図３等を用いて説明したものに限られず、一部の機能を別の装置に設けることも考えられる。
【００７５】
また、携帯端末装置３０はシステムの外部の装置であると考え、画像処理装置１０及び文書管理サーバ２０により、携帯端末装置３０及びそのユーザからの操作や要求に応じて動作する画像処理システムを構成する、と捉えることもできる。
また、以上説明してきた各実施形態及び変形例の構成は、相互に矛盾しない限り任意に組み合わせて実施可能であることは勿論である。
【符号の説明】
【００７６】
１：画像処理システム、１０：画像処理装置、２０：文書管理サーバ、２１：ＣＰＵ、
２２：ＲＯＭ、２３：ＲＡＭ、２４：ＨＤＤ、２５：通信Ｉ／Ｆ、２６：操作部、２７：表示部、２８：システムバス、３０：携帯端末装置、４０：配信先装置、５０：管理者用ＰＣ、１０１：配信プログラム、１０２：スキャナ部、１０３：モバイルアプリ処理部、１０４：コード記号表示部、１０５：ＮＦＣＩ／Ｆ、１０６，２０６、３０６：リモート通信部、１１０：操作パネル、１１１：操作部、１１２：表示制御部、２０１：処理フロー設定部、２０２：記憶装置、２１０：処理フロー実行部、２１１：中間処理部、２１２：アドレス管理部、２１３：画像格納部、２１４：配信処理部、３０１：ディスプレイ、３０４：コード記号読取部、３０５：ＮＦＣＩ／Ｆ、３１０：アプリケーション、３１１：画面取得部、３１２：表示部、３１３：操作受付部、３２０：プレビュー画面、３２１：配信先表示部、３２２：処理状況表示部、３２３：サムネイル表示部、３２３ａ：サムネイル画像、３２４：キャンセルボタン、３２５：配信ボタン、３３０：ジョブリスト画面、３３１：リスト表示部、３３２：閉じるボタン、３３３：全配信ボタン、Ｎ：ネットワーク
【先行技術文献】
【特許文献】
【００７７】
【特許文献１】特開２０１４−８６９８５号公報
【図１】
2016177562.tif 000003
【図２】
2016177562.tif 000004
【図３】
2016177562.tif 000005
【図４】
2016177562.tif 000006
【図５】
2016177562.tif 000007
【図６】
2016177562.tif 000008
【図７】
2016177562.tif 000009
【図８】
2016177562.tif 000010
【図９】
2016177562.tif 000011
【図１０】
2016177562.tif 000012
【図１１】
2016177562.tif 000013
【図１２】
2016177562.tif 000014